(57)【要約】【課題】取付部の構造が簡易でありながらも、取付部が取付部材から容易に外れることを防止することができる。【解決手段】略矩形形状の中空のケース本体の第１の側面から突出する向きに形成された第１のツメ部を有する第１の係合部材（１４）と、ケース本体の第１の側面以外の側面に略沿って設けられる第２の係合部材（１５、１６）とが、ケース本体（１１）に設けられる。第２の係合部材は、上面と略平行な方向に弾性変形可能な板ばね部と、板ばね部の外側の面から突出するように板ばね部の先端近傍に形成される第２のツメ部と、を有し、第２のツメ部は、合わせて、第１のツメ部が突出する向きである第１の向きと反対の第２の向き、上面と略並行かつ第１の向きに略直交する第３の向き、及び第３の向きと反対の第４の向きに突出する。【選択図】  図１
2015201516.tif 000002
【特許請求の範囲】
【請求項１】
略矩形形状の中空のケース本体と、
前記ケース本体の上面に設けられ、発光素子又は受光素子が設けられる第１の凸部及び第２の凸部と、
前記ケース本体の第１の側面外側から突出する向きに形成された第１のツメ部を有する第１の係合部材と、
前記ケース本体の前記第１の側面以外の側面に略沿って設けられる第２の係合部材と、
を備え、
前記第２の係合部材は、前記ケース本体の上面と略平行な方向に弾性変形可能な板ばね部と、当該板ばね部の外側の面から突出するように当該板ばね部の先端近傍に形成される第２のツメ部と、を有し、
前記第２のツメ部は、合わせて、前記第１のツメ部が突出する向きである第１の向きと反対の第２の向き、前記上面と略並行かつ前記第１の向きに略直交する第３の向き、及び前記第３の向きと反対の第４の向きに突出することを特徴とするフォトインタラプタ。
【請求項２】
請求項１に記載のフォトインタラプタであって、
前記第２の係合部材は、２本以上であり、
前記第２のツメ部のうちの１つは、前記第２の向き及び前記第３の向きに突出し、
前記第２のツメ部のうちの他の１つは、前記第２の向き及び前記第４の向きに突出する  ことを特徴とするフォトインタラプタ。
【請求項３】
請求項１に記載のフォトインタラプタであって、
前記第２の係合部材は、
前記第２のツメ部が前記第２の向き及び前記第３の向きに突出する第３の係合部材と、
前記第２のツメ部が前記第１の向き及び前記第３の向きに突出する第４の係合部材と、
前記第２のツメ部が前記第２の向き及び前記第４の向きに突出する第５の係合部材と、
前記第２のツメ部が前記第１の向き及び前記第４の向きに突出する第６の係合部材と、を有し、
前記第３の係合部材と前記第４の係合部材と、及び前記第５の係合部材と前記第６の係合部材とは、前記第１の向きに沿って隣接して設けられることを特徴とするフォトインタラプタ。
【請求項４】
請求項１から３のいずれか一項に記載のフォトインタラプタであって、
前記板ばね部の前記ケース本体と連結する位置と、前記板ばね部の前記第２のツメ部と連結する位置とが、前記上面と略平行方向に所定距離だけ離れていることを特徴とするフォトインタラプタ。
【発明の詳細な説明】
【技術分野】
【０００１】
本発明は、フォトインタラプタに関する。
【背景技術】
【０００２】
特許文献１には、外装ケースの底部における四隅に、外部基板や外部機器に装着するための取り付け足が設けられている光結合装置が開示されている。
【先行技術文献】
【特許文献】
【０００３】
【特許文献１】特開２００８−１５３２７７号公報
【発明の概要】
【発明が解決しようとする課題】
【０００４】
特許文献１に記載の発明の光結合装置（フォトインタラプタ）は、横方向（フォトインタラプタの長手方向に略直交する方向）からの力が加わったときに、取り付け足先端のツメが外部基板や外部機器（以下、取付部材という）から外れやすいという問題がある。その結果、特許文献１に記載の発明では、取付部材からフォトインタラプタが脱落するおそれがある。
【０００５】
本発明はこのような事情に鑑みてなされたもので、取付部の構造が簡易でありながらも、取付部が取付部材から容易に外れることを防止することができるフォトインタラプタを提供することを目的とする。
【課題を解決するための手段】
【０００６】
上記課題を解決するために、本発明に係るフォトインタラプタは、例えば、略矩形形状の中空のケース本体と、前記ケース本体の上面に設けられ、発光素子又は受光素子が設けられる第１の凸部及び第２の凸部と、前記ケース本体の第１の側面外側から突出する向きに形成された第１のツメ部を有する第１の係合部材と、前記ケース本体の前記第１の側面以外の側面に略沿って設けられる第２の係合部材と、を備え、前記第２の係合部材は、前記ケース本体の上面と略平行な方向に弾性変形可能な板ばね部と、当該板ばね部の外側の面から突出するように当該板ばね部の先端近傍に形成される第２のツメ部と、を有し、前記第２のツメ部は、合わせて、前記第１のツメ部が突出する向きである第１の向きと反対の第２の向き、前記上面と略並行かつ前記第１の向きに略直交する第３の向き、及び前記第３の向きと反対の第４の向きに突出することを特徴とする。
【０００７】
本発明に係るフォトインタラプタによれば、略矩形形状の中空のケース本体の第１の側面から突出する向きに形成された第１のツメ部を有する第１の係合部材と、ケース本体の第１の側面以外の側面外側に略沿って設けられる第２の係合部材とが、ケース本体に設けられる。第２の係合部材は、上面と略平行な方向に弾性変形可能な板ばね部と、板ばね部の外側の面から突出するように板ばね部の先端近傍に形成される第２のツメ部と、を有し、第２のツメ部は、合わせて、第１のツメ部が突出する向きである第１の向きと反対の第２の向き、上面と略並行かつ第１の向きに略直交する第３の向き、及び第３の向きと反対の第４の向きに突出する。これにより、ケース本体の４つの側面それぞれから突出する向き（第１の向き、第２の向き、第３の向き、及び第４の向き）にツメ部が突出するため、取付部の構造が簡易でありながらも、取付部が取付部材から容易に外れることを防止することができる。
【０００８】
ここで、前記第２の係合部材は、２本以上であり、前記第２のツメ部のうちの１つは、前記第２の向き及び前記第３の向きに突出し、前記第２のツメ部のうちの他の１つは、前記第２の向き及び前記第４の向きに突出してもよい。これにより、第１のツメ部と第２のツメ部とを合わせると、ケース本体の４つの側面それぞれから突出する向き（第１の向き、第２の向き、第３の向き、及び第４の向き）にツメ部を突出させることができる。したがって、取付部の構造が簡易でありながらも、取付部が取付部材から容易に外れることを防止することができる。
【０００９】
ここで、前記第２の係合部材は、前記第２のツメ部が前記第２の向き及び前記第３の向きに突出する第３の係合部材と、前記第２のツメ部が前記第１の向き及び前記第３の向きに突出する第４の係合部材と、前記第２のツメ部が前記第２の向き及び前記第４の向きに突出する第５の係合部材と、前記第２のツメ部が前記第１の向き及び前記第４の向きに突出する第６の係合部材と、を有し、前記第３の係合部材と前記第４の係合部材と、及び前記第５の係合部材と前記第６の係合部材とは、前記第１の向きに沿って隣接して設けられてもよい。これにより、第２のツメ部のみで、ケース本体の４つの側面それぞれから突出する向き（第１の向き、第２の向き、第３の向き、及び第４の向き）にツメ部を突出させることができる。これにより、ケース本体の対角線に沿った方向の力や、ねじれる方向の力がフォトインタラプタに加わったとしても、フォトインタラプタが取付部材から外れることを防止することができる
【００１０】
ここで、前記板ばね部の前記ケース本体と連結する位置と、前記板ばね部の前記第２のツメ部と連結する位置とが、前記上面と略平行方向に所定距離だけ離れていてもよい。これにより、板ばね部が上面と略平行方向に弾性変形しやすくなる。
【発明の効果】
【００１１】
本発明によれば、取付部の構造が簡易でありながらも、取付部が取付部材から容易に外れることを防止することができる。
【図面の簡単な説明】
【００１２】
【図１】本発明の第１の実施の形態に係るフォトインタラプタ１の一例を示す斜視図であり、（Ａ）は正面斜め左上方向から見た図であり、（Ｂ）は正面斜め右下方向から見た図である。
【図２】フォトインタラプタ１を取付部材５０に取り付けた状態を示す図であり、（Ａ）は正面図であり、（Ｂ）は左側面図である。
【図３】フォトインタラプタ１を取付部材５０に取り付けた状態における底面図である。
【図４】変形例に係るフォトインタラプタ１Ａを取付部材５０Ａに取り付けた状態における底面図である。
【図５】本発明の第２の実施の形態に係るフォトインタラプタ２の一例を示す図であり、（Ａ）は取付部材５０Ｂに取り付けた状態における正面図であり、（Ｂ）は取付部材５０に取り付けた状態における底面図である。
【発明を実施するための形態】
【００１３】
以下、本発明の実施形態を、図面を参照して詳細に説明する。
【００１４】
＜第１の実施の形態＞
図１は、本発明の一例であるフォトインタラプタ１の一例を示す斜視図であり、（Ａ）は正面斜め左上方向から見た図であり、（Ｂ）は正面斜め右下方向から見た図である。
【００１５】
フォトインタラプタ１は、主として、遮光性樹脂により形成されたケース１０と、ケース１０に取り付けられたコネクタ２０と、ケース１０に取り付けられた基板３０と、を備える。
【００１６】
ケース１０は、遮光性樹脂、例えば、ポリカーボネート（ＰＣ）、ポリアセタール（ＰＯＭ）等により形成される。ケース１０は、主として、ケース本体１１と、基板３０に立てた状態で取り付けられる発光素子（図示せず）及び受光素子（図示せず）がそれぞれ挿入される凸部１２、１３と、係合部材１４と、スナップ部材１５と、スナップ部材１６と、位置決め部１７と、を有する。
【００１７】
ケース本体１１は、中空の略矩形形状であり、１つの面（ここでは、底面）に開口を有する。本実施の形態では、底面全体が開口となっている。ただし、開口は必須ではない。
【００１８】
凸部１２及び凸部１３は、ケース本体１１の底面と対向する上面１１ａに形成される。凸部１２及び凸部１３は、ケース本体１１の底面から上面へ向かう向き（＋ｚ方向）に突出して設けられる。凸部１２の内部には、発光素子が設けられる。凸部１３の内部には、受光素子が設けられる。
【００１９】
凸部１２及び凸部１３は、所定の間隔だけｘ方向に離れて設けられる。したがって、ケース１０、すなわちフォトインタラプタ１は、正面（図１（Ａ）左斜め上方向）からみて、略Ｕ字形状（略コの字形状）となっている。ただし、凸部１２及び凸部１３の位置及び形状はこれに限定されない。
【００２０】
凸部１２及び凸部１３には、それぞれスリット１２ａ、スリット１３ａが設けられる。スリット１２ａとスリット１３ａとは、対向して設けられる。発光素子の発光部はスリット１２ａに向けて設けられ、受光素子の受光部はスリット１３ａに向けて設けられる。
スリット１２ａ、１３ａは、物体の位置検出の精度を高くするために設けられる。なお、スリット１２ａ、１３ａは、空洞でもよいし、ポリカーボネート（ＰＣ）、アクリル（ＰＭＭＡ）等の光透過性樹脂が充填されていてもよい。
【００２１】
凸部１２内に設けられた発光素子からの光は、スリット１２ａ、凸部１２及び凸部１３との間（検出溝）の空間、及びスリット１３ａを通過して、受光素子で受光される。この光の通路が、フォトインタラプタ１の光路である。
【００２２】
フォトインタラプタ１は、検出溝を物体が通過すると、受光素子での受光がなくなり、これにより検出溝を物体が移動したことが検出される。
【００２３】
係合部材１４は、ケース本体１１に設けられる。係合部材１４は、ツメ部１４ａを有する。係合部材１４は、＋ｙ側の側面１１ｃ又は−ｙ側の側面１１ｄに設けられる。ただし、係合部材１４が設けられる位置はこれに限定されない。ツメ部１４ａは、ケース本体１１の任意の側面（ここでは、−ｘ側の側面１１ｂ）外側から突出する向きに形成される。ツメ部１４ａは、ケース本体１１のｘｙ平面に略平行な端面１４ｃを有する。
【００２４】
スナップ部材１５及びスナップ部材１６は、ケース本体１１の側面の、ツメ部１４ａが突出している側面以外の側面（ここでは、＋ｙ側の側面１１ｃ及び−ｙ側の側面１１ｄ）に略沿って設けられる。スナップ部材１５及びスナップ部材１６は、ケース本体１１の側面に設けられていてもよいし、底面に設けられていてもよい。
【００２５】
スナップ部材１５及びスナップ部材１６は、それぞれ、板ばね部１５ａ、１６ａと、ツメ部１５ｂ、１６ｂと、を有する。
【００２６】
板ばね部１５ａ、１６ａは、−ｚ方向に突出するように形成される。本実施の形態では、板ばね部１５ａ、１６ａは、細長い板状であるが、板ばね部１５ａ、１６ａの形状はこれに限定されない。板ばね部１５ａ、１６ａは、ｚ方向と略直交する方向、すなわちケース本体１１の底面又は上面（ｘｙ平面）と略平行な方向に弾性変形可能である。厳密に言えば、板ばね部１５ａ、１６ａは、ケース本体１１と連結する連結部１１ｆを支点として、先端に設けられたツメ部１５ｂ、１６ｂ（後に詳述）が円弧を描くように変形する。しかしながら、この円弧の半径に比べてツメ部１５ｂ、１６ｂの変形量が小さいため、板ばね部１５ａ、１６ａの変形方向は、ｘｙ平面と略平行な方向と略同じである。
【００２７】
板ばね部１５ａ、１６ａが連結部１１ｆ（本実施の形態では、ケース本体１１の側面外側）の位置と、板ばね部１５ａ、１６ａがツメ部１５ｂ、１６ｂと連結する位置（本実施の形態では、板ばね部１５ａ、１６ａの先端）とは、ｘｙ平面と略平行方向（ここでは、＋ｙ方向又は−ｙ方向）に所定距離だけ離れている。本実施の形態では、板ばね部１５ａ、１６ａは、ケース１０の側面の方向（＋ｘ方向又は−ｘ方向）から見たときに、それぞれ、連結部１１ｆからケース本体１１の外側（＋ｙ方向又は−ｙ方向）に向けて突出し（１５ａ−１、１６ａ−１）、その後ケース本体１１の高さ方向（−ｚ方向）に突出する（１５ａ−２、１６ａ−２）略Ｌ字形状となる。これにより、板ばね部１５ａ、１６ａがｘ方向及びｙ方向へ弾性変形しやすくなる。
【００２８】
なお、本実施の形態では、板ばね部１５ａ、１６ａのケース本体１１の外側に向けて突出する部分１５ａ−１、１６ａ−１は、ケース本体１１から略垂直に突出しているが、ケース本体１１に対して斜め外側方向（例えば、ｘ方向から−ｚ方向に４５度程度傾いた方向）に突出するように形成してもよい。
【００２９】
ツメ部１５ｂ、１６ｂは、板ばね部１５ａ、１６ａの外側の２つの面からそれぞれ突出（２方向に突出）するように、板ばね部１５ａ、１６ａの先端近傍に形成される。
【００３０】
２本のスナップ部材１５のうちの１本のツメ部１５ｂは、板ばね部１５ａの外側の面から−ｘ方向及び＋ｙ方向に突出し、他のスナップ部材１５のツメ部１５ｂは、板ばね部１５ａの外側の面から−ｘ方向及び−ｙ方向に突出する。ツメ部１５ｂは、ｘｙ平面に略平行な端面１５ｃを有する。
【００３１】
２本のスナップ部材１６のうちの１本のツメ部１６ｂは、板ばね部１６ａの外側の面から＋ｘ方向及び＋ｙ方向に突出し、他のスナップ部材１６のツメ部１６ｂは、板ばね部１６ａの外側の面から＋ｘ方向及び−ｙ方向に突出する。ツメ部１６ｂは、ｘｙ平面に略平行な端面１６ｃを有する。
【００３２】
このように、ツメ部１５ｂ、１６ｂが突出する向きは、合わせて、±ｘ方向及び±ｙ方向（ケース本体１１のそれぞれの側面１１ｂ、１１ｃ、１１ｄ、１１ｅから突出する方向）の４方向である。
【００３３】
コネクタ２０は、ケース本体１１に取り付けられる。また、コネクタ２０は、基板３０を介して発光素子及び受光素子と電気的に接続される。ただし、コネクタ２０は必須ではない。
【００３４】
次に、係合部材１４、スナップ部材１５、及びスナップ部材１６を用いてフォトインタラプタ１を取付部材５０に取り付けた状態について説明する。図２は、フォトインタラプタ１を取付部材５０に取り付けた状態を示す図であり、（Ａ）は正面図であり、（Ｂ）は左側面図である。図３は、フォトインタラプタ１を取付部材５０に取り付けた状態における底面図である。
【００３５】
取付部材５０は、板状の部材である。取付部材５０には、孔５１と、孔５２とが形成される。取付部材５０は、基板でもよいし、他部品のケース等でもよい。なお、取付部材５０は、板状の部分を有し（他の部分の形状は問わない）、この板状の部分に孔５１、５２が形成されている部品であってもよい。
【００３６】
フォトインタラプタ１を取付部材５０に取り付けるには、まずツメ部１４ａを孔５１の側面５１ａに引っ掛ける。これにより、係合部材１４は孔５１と係合する。その後、スナップ部材１５及びスナップ部材１６を孔５２に押し込む。このとき、板ばね部１５ａ、１６ａがｘ方向及びｙ方向の２方向に弾性変形することにより、スナップ部材１５及びスナップ部材１６が孔５２に挿入される。
【００３７】
スナップ部材１５及びスナップ部材１６が孔５２に挿入されると、弾性変形した板ばね部１５ａ、１６ａが元の形状に戻る。その結果、スナップ部材１５及びスナップ部材１６が孔５２に係合する（いわゆるスナップフィット結合）。
【００３８】
スナップ部材１５及びスナップ部材１６が孔５２に係合すると、位置決め部１７と、ツメ部１４ｂの端面１４ｃ、ツメ部１５ｂの端面１５ｃ及びツメ部１６ｂの端面１６ｃとの間に取付部材５０が挟まれ、フォトインタラプタ１が取付部材５０に取り付けられる。このとき、端面１４ｃ、端面１５ｃ、及び端面１６ｃが取付部材５０の面５０ａに当接し、位置決め部１７が面ｂに当接する。
【００３９】
フォトインタラプタ１が取付部材５０に取り付けられた状態においては、ツメ部１４ａは孔５１の−ｘ側の側面５１ａを覆う。また、フォトインタラプタ１が取付部材５０に取り付けられた状態においては、ツメ部１５ｂは孔５２の２つの側面（−ｘ側の側面５２ａと、＋ｙ側の側面５２ｂ又は−ｙ側の側面５２ｃ）を覆う。さらに、フォトインタラプタ１が取付部材５０に取り付けられた状態においては、ツメ部１６ｂは孔５２の２つの側面（＋ｘ側の側面５２ｄと、＋ｙ側の側面５２ｂ又は−ｙ側の側面５２ｃ）を覆う。
【００４０】
このように、ツメ部１５ｂ、１６ｂが、孔５２の全ての側面５２ａ、５２ｂ、５２ｃ、５２ｄを覆うため、±ｘ方向及び±ｙ方向のどの方向からフォトインタラプタ１に力が加わったとしても、スナップ部材１５及びスナップ部材１６が孔５２から外れにくい。したがって、フォトインタラプタ１が取付部材５０にしっかり取り付けられる。
【００４１】
第１の実施の形態によれば、取付部（係合部材１４、スナップ部材１５、スナップ部材１６）の構造が簡易でありながらも、取付部が取付部材から容易に外れることを防止することができる。言い換えれば、フォトインタラプタが外力により取付部材から意図せず脱落することを防止することができる。特に第１の実施の形態では、２方向に突出するツメを有するスナップ部材１５、１６をそれぞれ２本ずつ有するため、横方向（＋ｙ方向又は−ｙ方向）からの外力に強くすることができる。
【００４２】
また、第１の実施の形態によれば、孔５２の対角線上にある角をツメ部１５ｂ及びツメ部１６ｂが覆うため、ケース本体１１の対角線に沿った方向の力や、ねじれる方向の力がフォトインタラプタ１に加わったとしても、フォトインタラプタ１が取付部材５０から意図せず脱落することを防止することができる。
【００４３】
なお、第１の実施の形態では、取付部として係合部材１４、スナップ部材１５、及びスナップ部材１６を有したが、スナップ部材１５は省略可能である。図４は、スナップ部材１５を省略したフォトインタラプタ１Ａを取付部材５０Ａに取り付けた状態における底面図である。
【００４４】
この場合にも、ツメ部１４ａ、１６ｂが、孔５３の全ての側面５３ａ、５３ｂ、５３ｃ、５３ｄを覆うため、±ｘ方向及び±ｙ方向のどの方向からフォトインタラプタ１に力が加わったとしても、フォトインタラプタ１が取付部材５０Ａから脱落しにくい。しかしながら、フォトインタラプタ１が外力により取付部材５０から意図せず脱落することを防止する効果をより高くするためには、スナップ部材１５を設けることが望ましい。
【００４５】
また、第１の実施の形態では、係合部材１４は板ばね部を有さず、スナップ部材１５、１６が板ばね部を有したが、スナップ部材１５、１６のみでなく、係合部材１４についても、板ばね部を有する構造としてもよい。しかしながら、フォトインタラプタ１の取付部材５０への取り付けがワンタッチで行えるようにするため、係合部材１４は板ばね部を有しない構造とすることが望ましい。
【００４６】
＜第２の実施の形態＞
本発明の第１の実施の形態は、スナップ部材１５、１６が有するツメ部１５ｂ、１６ｂが±ｘ方向及び±ｙ方向の４方向に突出したが、ツメ部１４ａが−ｘ方向に突出しているため、スナップ部材のツメ部は＋ｘ方向及び±ｙ方向の３方向に突出させてもよい。
【００４７】
以下、本発明の第２の実施の形態に係るフォトインタラプタ２について説明する。なお、フォトインタラプタ１と同一の部分については、同一の符号を付し、説明を省略する。
【００４８】
図５は、フォトインタラプタ２の一例を示す図であり、（Ａ）は取付部材５０Ｂに取り付けた状態における正面図であり、（Ｂ）は取付部材５０Ｂに取り付けた状態における底面図である。
【００４９】
フォトインタラプタ２は、主として、遮光性樹脂により形成されたケース１０Ａと、ケース１０Ａに取り付けられた基板３０Ａと、を備える。ケース１０Ａは、主として、ケース本体１１Ａと、凸部１２、１３と、係合部材１４と、位置決め部１７Ａと、スナップ部材１８と、スナップ部材１９とを有する。
【００５０】
フォトインタラプタ２はコネクタ２０を有しない。したがって、ケース本体１１Ａは、コネクタ２０を設ける部分（ケース本体１１の＋ｘ方向に突出する部分）を有しない形状となっている。
【００５１】
位置決め部１７Ａは、３個の位置決め部１７ａ、１７ｂ、１７ｃを有する。３個の位置決め部１７ａ、１７ｂ、１７ｃは、異なる板厚の取付部材５０Ｂに対応できるように、高さ方向（ｚ方向）の位置が異なっている。
【００５２】
スナップ部材１８及びスナップ部材１９は、ツメ部１４ａが突出している側面１１ｂ以外の側面に略沿って設けられる。スナップ部材１８は−ｙ側の側面１１ｃ及び＋ｙ側の側面１１ｄに略沿って設けられ、スナップ部材１９は、＋ｘ側の側面１１ｅ’に略沿って設けられる。
【００５３】
スナップ部材１８及びスナップ部材１９は、それぞれ、板ばね部１８ａ、１９ａと、ツメ部１８ｂ、１９ｂと、を有する。
【００５４】
板ばね部１８ａ、１９ａは、−ｚ方向に突出するように形成される。板ばね部１８ａ、１９ａは、ｚ方向と略直交する方向に弾性変形可能である。
【００５５】
板ばね部１８ａは、板ばね部１５ａ、１６ａと同様、弾性変形を容易とするため、板ばね部１８ａがケース本体１１と連結する位置と、板ばね部１８ａがツメ部１８ｂと連結する位置とは、ｘｙ平面と略平行方向に所定距離だけ離れている。
【００５６】
板ばね部１９ａは、板ばね部１５ａ、１６ａと同様、弾性変形を容易とするため、板ばね部１９ａがケース本体１１と連結する位置と、板ばね部１９ａがツメ部１９ｂと連結する位置とは、ｘｙ平面と略平行方向に所定距離だけ離れている。
【００５７】
ツメ部１８ｂ、１９ｂは、板ばね部１８ａ、１９ａの外側の面から突出するように、板ばね部１８ａ、１９ａの先端近傍に形成される。
【００５８】
２本のスナップ部材１８のうちの１本のツメ部１８ｂは、板ばね部１８ａの外側の面から＋ｙ方向に突出し、他のスナップ部材１８のツメ部１８ｂは、板ばね部１８ａの外側の面から−ｙ方向に突出する。ツメ部１８ｂは、ｘｙ平面に略平行な端面１８ｃを有する。
【００５９】
ツメ部１９ｂは、＋ｘ方向に突出する。ツメ部１９ｂは、ｘｙ平面に略平行な端面１９ｃを有する。
【００６０】
このように、ツメ部１８ｂ、１９ｂが突出する向きは、合わせて、±ｘ方向及び＋ｙ方向の３方向である。また、係合部材１４のツメ部１４ａ及びツメ部１８ｂ、１９ｂが突出する向きは、合わせて、±ｘ方向及び±ｙ方向の４方向である。
【００６１】
次に、係合部材１４、スナップ部材１８、及びスナップ部材１９を用いてフォトインタラプタ２を取付部材５０Ａに取り付けた状態について説明する。
【００６２】
取付部材５０Ｂは、取付部材５０に対して厚さが異なる。孔５１Ａ、５２Ａは、それぞれ孔５１、５２に対して大きさが異なる。孔５１Ａ、５２Ａの大きさは、取付部材５０Ａの厚さに応じて変更される。具体的には、孔５１Ａ、５２Ａは、フォトインタラプタ２を取付部材５０Ａに取り付けたときに、３個の位置決め部１７ａ、１７ｂ、１７ｃのうちの厚さに応じたいずれかと、取付部材５０Ａの面５０ｂと、が当接する大きさで形成される。例えば、取付部材５０Ｂの板厚がｔ１のときは、位置決め部１７ａと取付部材５０Ｂとが当接する。また、例えば取付部材５０Ｂの板厚がｔ２（ｔ１＞ｔ２）のときは、板厚がｔ１のときに比べて孔５１Ａ、５２Ａが小さく、位置決め部１７ｂと取付部材５０Ｂとが当接する。
【００６３】
フォトインタラプタ２を取付部材５０Ａに取り付けるには、まずツメ部１４ａを孔５１Ａの側面５１ａに引っ掛けてから、スナップ部材１８及びスナップ部材１９を孔５２Ａに押し込む。このとき、板ばね部１８ａ、１９ａが弾性変形することにより、スナップ部材１８及びスナップ部材１９が孔５２Ａに挿入される。
【００６４】
スナップ部材１８及びスナップ部材１９が孔５２Ａに挿入されると、弾性変形した板ばね部１８ａ、１９ａが元の形状に戻る。その結果、ツメ部１８ｂ、１９ｂが孔５２Ａに係合する（いわゆるスナップフィット結合）。
【００６５】
スナップ部材１８及びスナップ部材１９が孔５２Ａに係合すると、位置決め部１７（図４では、位置決め部１７ｂ）と、ツメ部１４ａの端面１４ｃ、ツメ部１８ｂの端面１８ｃ、及びツメ部１９ｂの端面１９ｃとの間に取付部材５０Ａが挟まれ、これによりフォトインタラプタ２が取付部材５０Ａに取り付けられる。このとき、端面１４ｃ、端面１８ｃ、及び端面１９ｃが面５０ａに当接し、位置決め部１７ｂが面５０ｂに当接する。
【００６６】
フォトインタラプタ２が取付部材５０Ｂに取り付けられた状態においては、ツメ部１４ａが孔５１Ａの−ｘ側の側面５１ａを覆う。また、フォトインタラプタ２が取付部材５０Ｂに取り付けられた状態においては、ツメ部１８ｂが孔５２Ｂの＋ｙ側の側面５２ｅ又は−ｙ側の側面５２ｆを覆う。さらに、フォトインタラプタ２が取付部材５０Ｂに取り付けられた状態においては、ツメ部１９ｂが孔５２Ｂの＋ｘ側の側面５２ｇを覆う。
【００６７】
このように、ツメ部１４ａ、１８ｂ、１９ｂが、孔５１Ａ、５２Ａの外側の側面５１ａ、５２ｅ、５２ｆ、５２ｇを覆うため、±ｘ方向及び±ｙ方向のどの方向からフォトインタラプタ１に力が加わったとしても、スナップ部材１８及びスナップ部材１９が孔５２Ａから外れにくい。したがって、フォトインタラプタ２が取付部材５０Ｂにしっかり取り付けられる。
【００６８】
第２の実施の形態によれば、第１の実施の形態と同様に、取付部（係合部材１４、スナップ部材１８、スナップ部材１９）の構造が簡易でありながらも、取付部が取付部材から意図せず脱落することを防止することが出来る。言い換えれば、フォトインタラプタが外力により取付部材から意図せず脱落することを防止することができる。
【００６９】
以上、この発明の実施形態を、図面を参照して詳述してきたが、具体的な構成はこの実施形態に限られるものではなく、この発明の要旨を逸脱しない範囲の設計変更等も含まれる。また、本発明において、「略」、「近傍」とは、厳密に同一である場合のみでなく、同一性を失わない程度の誤差や変形を含む概念である。
【符号の説明】
【００７０】
１、１Ａ、２：フォトインタラプタ、１０：ケース、１１、１１Ａ：ケース本体、１２、１３：凸部、１４：係合部材、１５：スナップ部材、１６：スナップ部材、１７、１７Ａ：位置決め部、１８：スナップ部材、１９：スナップ部材、２０：コネクタ、３０：基板、５０、５０Ａ、５０Ｂ：取付部材
【図１】
2015201516.tif 000003
【図２】
2015201516.tif 000004
【図３】
2015201516.tif 000005
【図４】
2015201516.tif 000006
【図５】
2015201516.tif 000007